(57)【要約】【課題】環境に優しく廃棄処理も容易なシャツの保形具を提供する。【解決手段】出荷時に折り畳まれて包装されたシャツ１の形状を保持するための保形具に関し、シャツ１の衿２の内側部分に嵌め込まれて衿台３の型崩れを防ぐカラーサポータ４と、第一ボタン５の取付糸を利用して掛止され且つその両側を左右の衿羽根６と衿台３との間に差し入れられて前記各衿羽根６を下支えする蝶キーパー７と、シャツ１を折り畳み状態で固定するクリップ８とを備え、少なくとも前記カラーサポータ４を保形性を持つ厚紙により形成する。【選択図】図１
0003223232.tif 000002
【実用新案登録請求の範囲】
【請求項１】
出荷時に折り畳まれて包装されたシャツの形状を保持するための保形具であって、シャツの衿の内側部分に嵌め込まれて衿台の型崩れを防ぐカラーサポータと、第一ボタンの取付糸を利用して掛止され且つその両側を左右の衿羽根と衿台との間に差し入れられて前記各衿羽根を下支えする蝶キーパーと、シャツを折り畳み状態で固定するクリップとを備え、少なくとも前記カラーサポータが保形性を持つ厚紙により形成されていることを特徴とするシャツの保形具。
【請求項２】
カラーサポータは、帯状の厚紙シートの一端に形成した凸型のフラップを、他端側に形成した複数のスリットのうちの何れかに差し込んで係止させ、これにより無端状に組み立てられるように構成され、前記厚紙シートの長手方向中央部に折り目を入れて上面視で略三角形を成すように形づけられていることを特徴とする請求項１に記載のシャツの保形具。
【請求項３】
蝶キーパーが保形性を持つ厚紙により形成されていることを特徴とする請求項１又は２に記載のシャツの保形具。
【請求項４】
蝶キーパーは、左右の羽根を斜め上方へ広げた蝶形を成し、その中央部下側に第一ボタンの裏側で取付糸に掛止させるための切欠溝を形成しており、該切欠溝を第一ボタンの裏側で取付糸に掛止させた状態で両側が左右の衿羽根と衿台との間に差し入れられるように構成されていることを特徴とする請求項１、２又は３に記載のシャツの保形具。
【請求項５】
クリップが保形性を持つ厚紙により形成されていることを特徴とする請求項１、２、３又は４に記載のシャツの保形具。
【請求項６】
クリップは、クリップ形状を左右対称に展開した厚紙シートを中央部の折れ線で二つ折りにして重ね合わせ、その重ね合わせた表裏の中央部を一緒に切り起こすことで二重構造のクリップとして構成されていることを特徴とする請求項１、２、３、４又は５に記載のシャツの保形具。
【考案の詳細な説明】
【技術分野】
【０００１】
本考案は、出荷時に折り畳まれて包装されたシャツの形状を保持するための保形具に関するものである。
【背景技術】
【０００２】
従来、シャツを包装袋に装入して出荷する際には、シャツの後身頃の上部に保形台紙を宛い、該保形台紙を包み込むようにしてシャツを折り畳み、その衿の内側部分に衿台の型崩れを防ぐプラスチック製のカラーサポータを嵌め込むと共に、前記衿台が前側で閉じ合わされる箇所に左右の衿羽根を下支えする蝶キーパーを第一ボタンの取付糸を利用して掛止させ、更には、プラスチック製のクリップによりシャツを美観の良い折り畳み状態に固定した上で包装袋に装入して出荷するようにしている。
【０００３】
即ち、このようにカラーサポータや蝶キーパー、クリップをシャツの保形具として利用すれば、包装袋に入れたシャツを上下に積み重ねても、カラーサポータや蝶キーパーにより上載荷重が支えられて衿台や衿先が潰れなくなり、クリップによりシャツの折り畳み形状がしっかりと固定されるので、消費者が購入後に包装袋を開封してシャツを取り出した際に、きれいに折り畳まれた状態で型崩れのないシャツを手に取ることができる。
【考案の概要】
【考案が解決しようとする課題】
【０００４】
しかしながら、近年においては、環境保護の観点から様々な分野で脱プラスチックの動きが加速してきており、前述の如き従来の包装形態では、開封後に不要となるプラスチック製の保形具が不燃ゴミとして多数発生してしまうため、環境保護の観点から好ましくない状況にあり、しかも、紙ゴミと分別しなければならない多数の不燃ゴミが出ることは消費者にとって煩わしいことであった。
【０００５】
本考案は上述の実情に鑑みてなしたもので、環境に優しく廃棄処理も容易なシャツの保形具を提供することを目的とする。
【課題を解決するための手段】
【０００６】
本考案は、出荷時に折り畳まれて包装されたシャツの形状を保持するための保形具であって、シャツの衿の内側部分に嵌め込まれて衿台の型崩れを防ぐカラーサポータと、第一ボタンの取付糸を利用して掛止され且つその両側を左右の衿羽根と衿台との間に差し入れられて前記各衿羽根を下支えする蝶キーパーと、シャツを折り畳み状態で固定するクリップとを備え、少なくとも前記カラーサポータを保形性を持つ厚紙により形成したことを特徴とするものである。
【０００７】
而して、このようにすれば、保形具のうちで最も大型のカラーサポータが厚紙で形成されることにより、このカラーサポータを紙ゴミとして容易に廃棄処理することが可能となるので、開封後に不要となる保形具のうち不燃ゴミとなる割合が著しく低減され、環境保護に大きく寄与せしめることが可能となると共に、紙ゴミと分別しなければならない不燃ゴミが減ることで消費者の煩わしさも軽減することが可能となる。
【０００８】
ここで、カラーサポータは、帯状の厚紙シートの一端に形成した凸型のフラップを、他端側に形成した複数のスリットのうちの何れかに差し込んで係止させ、これにより無端状に組み立てられるように構成され、前記厚紙シートの長手方向中央部に折り目を入れて上面視で略三角形を成すように形づけられていることが好ましい。
【０００９】
更に、本考案においては、前記カラーサポータだけでなく、蝶キーパーを保形性を持つ厚紙により形成しても良く、該蝶キーパーについても厚紙で形成するようにすれば、開封後に不要となる保形具のうち不燃ゴミとなる割合が更に低減されることになる。
【００１０】
また、このようにした場合、前記蝶キーパーは、左右の羽根を斜め上方へ広げた蝶形を成し、その中央部下側に第一ボタンの裏側で取付糸に掛止させるための切欠溝を形成しており、該切欠溝を第一ボタンの裏側で取付糸に掛止させた状態で両側が左右の衿羽根と衿台との間に差し入れられるように構成されていることが好ましい。
【００１１】
更に、本考案においては、前記カラーサポータだけでなく、クリップを保形性を持つ厚紙により形成しても良く、このようにクリップについても厚紙で形成するようにすれば、開封後に不要となる保形具のうち不燃ゴミとなる割合が更に低減されることになる。
【００１２】
また、このようにした場合、前記クリップは、クリップ形状を左右対称に展開した厚紙シートを中央部の折れ線で二つ折りにして重ね合わせ、その重ね合わせた表裏の中央部を一緒に切り起こすことで二重構造のクリップとして構成されていることが好ましい。
【考案の効果】
【００１３】
上記した本考案のシャツの保形具によれば、開封後に不要となる保形具のうち不燃ゴミとなる割合を著しく低減することができ、環境保護に大きく寄与せしめることができると共に、紙ゴミと分別しなければならない不燃ゴミが減ることで消費者の煩わしさも軽減することができ、環境に優しく廃棄処理も容易なシャツの保形具を実現することができる等種々の優れた効果を奏し得る。
【図面の簡単な説明】
【００１４】
【図１】本考案を実施する形態の一例を示す斜視図である。
【図２】図１のカラーサポータの展開図である。
【図３】図２のカラーサポータを無端状に組み立てた状態を示す斜視図である。
【図４】図１の蝶キーパーの展開図である。
【図５】図１のクリップの展開図である。
【図６】図５のクリップを二つ折りにした状態を示す斜視図である。
【考案を実施するための形態】
【００１５】
以下本考案の実施の形態を図示例と共に説明する。
【００１６】
図１は本考案の実施の形態の一例を示すもので、本形態例においては、出荷時に折り畳まれて包装されたシャツ１の形状を保持するための保形具として、シャツ１の衿２の内側部分に嵌め込まれて衿台３の型崩れを防ぐカラーサポータ４と、第一ボタン５の取付糸を利用して掛止され且つその両側を左右の衿羽根６と衿台３との間に差し入れられて前記各衿羽根６を下支えする蝶キーパー７と、シャツ１を折り畳み状態で固定するクリップ８とが備えられており、これらカラーサポータ４と蝶キーパー７とクリップ８は、保形性を持つ厚紙により形成されるようになっている。
【００１７】
即ち、図２に示す如く、前記カラーサポータ４は、帯状の厚紙シートの一端に形成した凸型のフラップ９を、他端側に形成した複数のスリット１０のうちの何れかに差し込んで係止させ、これにより図３に示す如き無端状に組み立てられるようにしたもので、前記厚紙シートの長手方向中央部に折り目１１を入れて上面視で略三角形を成すように形づけられて使用されるようになっている。
【００１８】
この際、前記カラーサポータ４を成す厚紙シートの他端側の各スリット１０は、打ち抜きにより完全に開口させてしまっても良いが、厚紙シートを打ち抜きにより完全に開口させてしまうのは樹脂シートの場合よりも難しいため、断続的な切り込み線だけを入れておいて、必要な箇所だけを後から切除して開口させるようにしても良い。
【００１９】
尚、図２に示すように、前記カラーサポータ４に意匠的な面白味を加えるべく、様々な形状の開口部１６を模様として打ち抜いて開口させるようにしても良いが、保形具として必要な強度が損なわれないよう適切な開口面積としなければならない。
【００２０】
また、図４に示す如く、前記蝶キーパー７は、左右の羽根を斜め上方へ広げた蝶形を成し、その中央部下側に第一ボタン５（図１参照）の裏側で取付糸に掛止させるための切欠溝１２を形成しており、該切欠溝１２を前記第一ボタン５の裏側で取付糸に掛止させた状態で両側が左右の衿羽根６と衿台３との間に差し入れられるようになっている。
【００２１】
更に、前記クリップ８は、図５に示す如きクリップ形状を左右対称に展開した厚紙シートを中央部の折れ線１３で二つ折りにして重ね合わせ、その重ね合わせた表裏の中央部を切り込み線１４に沿い一緒に切り起こすことで、図６に示す如き二重構造のクリップ８として構成されており、このように二重にすることでクリップ８として必要な挟持力が発揮されるようにしてある。
【００２２】
ここで、先の図１中におけるクリップ８では、保形台紙１５を包み込むようにして折り畳んだシャツ１の両肩部分を前記保形台紙１５に固定するように使用した例で示されているが、該保形台紙１５を間に挟まずにシャツ１の重ね部分同士を挟んで固定するように使用しても良いことは勿論である。
【００２３】
而して、このようにすれば、保形具のうちで最も大型のカラーサポータ４に加え、蝶キーパー７とクリップ８も厚紙で形成しているので、これらの保形具を全て紙ゴミとして容易に廃棄処理することが可能となり、開封後に不要となる保形具のうち不燃ゴミとなる割合を著しく低減することができ、環境保護に大きく寄与せしめることができると共に、紙ゴミと分別しなければならない不燃ゴミが減ることで消費者の煩わしさも軽減することができ、環境に優しく廃棄処理も容易なシャツ１の保形具を実現することができる。
【００２４】
尚、本考案のシャツの保形具は、上述の形態例にのみ限定されるものではなく、カラーサポータだけを厚紙で形成するようにしても良いし、蝶キーパー又はクリップの何れか一方だけを厚紙で形成するようにしても良いこと、その他、本考案の要旨を逸脱しない範囲内において種々変更を加え得ることは勿論である。
【符号の説明】
【００２５】
１      シャツ
２      衿
３      衿台
４      カラーサポータ（保形具）
５      第一ボタン
６      衿羽根
７      蝶キーパー（保形具）
８      クリップ（保形具）
９      フラップ
１０    スリット
１１    折り目
１２    開口部
１２    切欠溝
１３    折れ線
【図１】
0003223232.tif 000003
【図２】
0003223232.tif 000004
【図３】
0003223232.tif 000005
【図４】
0003223232.tif 000006
【図５】
0003223232.tif 000007
【図６】
0003223232.tif 000008